【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
第一の撮像手段によって撮像された画像データと音声データの通信が可能な第一の伝送端末と第二の撮像手段によって撮像された画像データと音声データの通信が可能な第二の伝送端末を含む複数の伝送端末と、画像データを通信するためのセッションを管理する管理システムと、を含む伝送システムであって、
前記管理システムは、
前記第一の伝送端末と前記第二の伝送端末の間で確立される前記セッションを管理するセッション管理手段と、
前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信手段と、
を備え、
前記第一の伝送端末は、
前記送信手段によって送信された前記第二の撮像手段によって撮像された画像データの通信状態を示す情報を受信する受信手段と、
前記第一の撮像手段によって撮像された画像データの通信を開始したことを示す状態を表示画面に表示させる第一の表示制御を実行可能であって、前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御を実行可能な表示制御手段と、
を有することを特徴とする伝送システム。
【請求項２】
請求項１に記載の伝送システムであって、
前記セッション管理手段が管理する前記第一の伝送端末と前記第二の伝送端末の間で確立されるセッションは第一のセッションであり、
前記セッション管理手段はさらに、前記第一の伝送端末と音声データの通信が可能であって画像通信機能を有しない第三の伝送端末の間で確立される第二のセッションを管理し、
前記送信手段はさらに、前記第一の伝送端末と前記第三の伝送端末が前記第二のセッションによって音声データを通信中であって、前記第一の伝送端末が画像データを通信中の場合に、画像データの通信を停止させる旨を示す情報を前記第一の伝送端末へ送信し、
前記第一の伝送端末はさらに、前記受信手段によって受信した前記送信手段によって送信された画像データの通信を停止させる旨を示す情報に基づいて、自端末からの前記第一の撮像手段によって撮像された画像データの通信を停止させる通信停止手段を有すること
を特徴とする伝送システム。
【請求項３】
請求項２に記載の伝送システムであって、
前記第一の伝送端末は、
前記受信手段によって受信した画像データの通信を停止させる旨を示す情報に基づき、前記第一の撮像手段を停止させる制御手段をさらに有することを特徴とする伝送システム。
【請求項４】
請求項１乃至３の何れか一項に記載の伝送システムであって、
前記第一の伝送端末は、
前記送信手段によって送信された表示メッセージを消去させる旨の情報を前記受信手段によって受信し、
前記表示制御手段は、前記表示メッセージを消去させる旨の情報に基づいて、表示画面に表示されている所定の表示メッセージを消去させること
を特徴とする伝送システム。
【請求項５】
請求項１乃至４の何れか一項に記載の伝送システムであって、
前記表示制御手段が実行可能な第一の表示制御は、前記第一の撮像手段によって撮像された画像データの通信を開始したことを示す状態をアイコンによって表示画面に表示させることを特徴とする伝送システム。
【請求項６】
請求項５に記載の伝送システムであって、
前記表示制御手段は、前記第一の撮像手段によって撮像された画像データの通信を開始したことを示す状態を第一のアイコンによって表示画面に表示させ、前記第一の撮像手段がオフされて前記第一の撮像手段によって撮像された画像データの通信が停止したことを示す状態を前記第一のアイコンと異なる第二のアイコンによって前記表示画面に表示させることを特徴とする伝送システム。
【請求項７】
請求項６に記載の伝送システムであって、
前記第一の伝送端末は、前記第二のアイコンの押下を受け付けることによって、前記第一の撮像手段によって撮像された画像データの通信を開始し、前記第二のアイコンから前記第一のアイコンへ表示を変更することを特徴とする伝送システム。
【請求項８】
請求項１乃至７の何れか一項に記載の伝送システムであって、
前記表示制御手段は、前記第二の伝送端末からの前記第二の撮像手段によって撮像された画像データの通信が停止中であることを示す状態をメッセージ表示によって表示画面に表示させることを特徴とする伝送システム。
【請求項９】
請求項１乃至８の何れか一項に記載の伝送システムであって、
前記表示制御手段は、前記第一の伝送端末が前記第一の撮像手段によって撮像された画像データを通信中であることを示す状態をメッセージ表示によって表示画面に表示させることを特徴とする伝送システム。
【請求項１０】
前記画像データの通信はビデオ会議で使用される画像データの通信であることを特徴とする請求項１乃至９の何れか一項に記載の伝送システム。
【請求項１１】
第一の撮像手段によって撮像された画像データと音声データを通信可能な第一の伝送端末と第二の撮像手段によって撮像された画像データと音声データを通信可能な第二の伝送端末の間で確立される画像データを通信するためのセッションを管理するセッション管理手段と、前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信手段と、を有する管理システムとネットワークを介して接続される第一の伝送端末であって、
前記送信手段によって送信された前記第二の撮像手段によって撮像された画像データの通信状態を示す情報を受信する受信手段と、
前記第一の撮像手段によって撮像された画像データの通信を開始したことを示す状態を表示画面に表示させる第一の表示制御を実行可能であって、前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御を実行可能な表示制御手段と、
を有することを特徴とする第一の伝送端末。
【請求項１２】
第一の撮像手段によって撮像された画像データと音声データの通信が可能な第一の伝送端末と第二の撮像手段によって撮像された画像データと音声データの通信が可能な第二の伝送端末を含む複数の伝送端末と、画像データを通信するためのセッションを管理する管理システムと、を含む伝送システムが実行する伝送方法であって、
前記管理システムは、
前記第一の伝送端末と前記第二の伝送端末の間で確立される前記セッションを管理するセッション管理手段を有し、
前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信ステップを実行し、
前記第一の伝送端末は、
前記送信ステップによって送信された前記第二の撮像手段によって撮像された画像データの通信状態を示す情報を受信する受信ステップと、
前記第一の撮像手段によって撮像された画像データの通信を開始したことを示す状態を表示画面に表示させる第一の表示制御ステップと、
前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御ステップと、
を実行することを特徴とする伝送方法。
【請求項１３】
第一の撮像手段によって撮像された画像データと音声データを通信可能な第一の伝送端末と第二の撮像手段によって撮像された画像データと音声データを通信可能な第二の伝送端末の間で確立される画像データを通信するためのセッションを管理するセッション管理手段と、前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信手段と、を有する管理システムに対して、ネットワークを介して接続される前記第一の伝送端末が実行する表示方法であって、
前記送信手段によって送信された前記第二の撮像手段によって撮像された画像データの通信状態を示す情報を受信する受信ステップと、
前記第一の撮像手段によって撮像された画像データの通信を開始したことを示す状態を表示画面に表示させる第一の表示制御ステップと、
前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御ステップと、
を実行することを特徴とする表示方法。
【請求項１４】
第一の撮像手段によって撮像された画像データと音声データを通信可能な第一の伝送端末と第二の撮像手段によって撮像された画像データと音声データを通信可能な第二の伝送端末の間で確立される画像データを通信するためのセッションを管理するセッション管理手段と、前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信手段と、を有する管理システムに対して、ネットワークを介して接続される前記第一の伝送端末を、
前記送信手段によって送信された前記第二の撮像手段によって撮像された画像データの通信状態を示す情報を受信する受信手段、
前記第一の撮像手段によって撮像された画像データの通信を開始したことを示す状態を表示画面に表示させる第一の表示制御を実行可能であって、前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御を実行可能な表示制御手段、
として機能させるプログラム。
【請求項１５】
請求項１４に記載のプログラムであって、
前記表示制御手段が実行可能な第一の表示制御は、前記第一の撮像手段によって撮像された画像データの通信を開始したことを示す状態をアイコンによって表示画面に表示させることを特徴とするプログラム。
【請求項１６】
請求項１５に記載のプログラムであって、
前記表示制御手段は、前記第一の撮像手段によって撮像された画像データの通信を開始したことを示す状態を第一のアイコンによって表示画面に表示させ、前記第一の撮像手段がオフされて前記第一の撮像手段によって撮像された画像データの通信が停止したことを示す状態を前記第一のアイコンと異なる第二のアイコンによって前記表示画面に表示させることを特徴とするプログラム。
【請求項１７】
請求項１６に記載のプログラムであって、
前記第一の伝送端末に、前記第二のアイコンの押下を受け付けることによって、前記第一の撮像手段によって撮像された画像データの通信を開始させ、前記第二のアイコンから前記第一のアイコンへ表示を変更させることを特徴とするプログラム。
【請求項１８】
請求項１４乃至１７の何れか一項に記載のプログラムであって、
前記表示制御手段は、前記第二の伝送端末からの前記第二の撮像手段によって撮像された画像データの通信が停止中であることを示す状態をメッセージ表示によって表示画面に表示させることを特徴とするプログラム。
【請求項１９】
請求項１４乃至１８の何れか一項に記載のプログラムであって、
前記表示制御手段は、前記第一の伝送端末が前記第一の撮像手段によって撮像された画像データを通信中であることを示す状態をメッセージ表示によって表示画面に表示させることを特徴とするプログラム。
【請求項２０】
前記画像データの通信はビデオ会議で使用される画像データの通信であることを特徴とする請求項１４乃至１９の何れか一項に記載のプログラム。 
【請求項２１】
第一の撮像手段によって撮像された画像データと音声データを通信可能な第一の拠点と第二の撮像手段によって撮像された画像データと音声データを通信可能な第二の拠点の間で確立される画像データを通信するためのセッションを管理するセッション管理手段と、
前記第一の拠点と前記第二の拠点が前記セッションによって画像データを送信している際に、前記第二の拠点において前記第二の撮像手段によって撮像された画像データの通信が停止された場合に、前記第二の撮像手段によって撮像された画像データの通信状態を示す情報を前記第一の拠点へ送信する送信手段と、
を有する管理システムに対して、ネットワークを介して接続されるコンピュータを、
前記送信手段によって送信された前記第二の撮像手段によって撮像された画像データの通信状態を示す情報を受信する受信手段、
前記第一の撮像手段によって撮像された画像データの通信を開始したことを示す状態を表示画面に表示させる第一の表示制御を実行可能であって、前記受信した前記第二の撮像手段によって撮像された画像データの通信状態を示す情報に基づいて、前記第二の拠点からの前記第二の撮像手段によって撮像された画像データの通信が停止中であることを示す状態を表示画面に表示させる第二の表示制御を実行可能な表示制御手段、
として機能させるプログラム。
【請求項２２】
請求項２１に記載のプログラムであって、
前記表示制御手段が実行可能な第一の表示制御は、前記第一の撮像手段によって撮像された画像データの通信を開始したことを示す状態をアイコンによって表示画面に表示させることを特徴とするプログラム。
【請求項２３】
請求項２２に記載のプログラムであって、
前記表示制御手段は、前記第一の撮像手段によって撮像された画像データの通信を開始したことを示す状態を第一のアイコンによって表示画面に表示させ、前記第一の撮像手段がオフされて前記第一の撮像手段によって撮像された画像データの通信が停止したことを示す状態を前記第一のアイコンと異なる第二のアイコンによって前記表示画面に表示させることを特徴とするプログラム。
【請求項２４】
請求項２３に記載のプログラムであって、
前記第一の拠点に、前記第二のアイコンの押下を受け付けることによって、前記第一の撮像手段によって撮像された画像データの通信を開始させ、前記第二のアイコンから前記第一のアイコンへ表示を変更させることを特徴とするプログラム。
【請求項２５】
請求項２１乃至２４の何れか一項に記載のプログラムであって、
前記表示制御手段は、前記第二の拠点からの前記第二の撮像手段によって撮像された画像データの通信が停止中であることを示す状態をメッセージ表示によって表示画面に表示させることを特徴とするプログラム。
【請求項２６】
請求項２１乃至２５の何れか一項に記載のプログラムであって、
前記表示制御手段は、前記第一の拠点が前記第一の撮像手段によって撮像された画像データを通信中であることを示す状態をメッセージ表示によって表示画面に表示させることを特徴とするプログラム。
【請求項２７】
前記画像データの通信はビデオ会議で使用される画像データの通信であることを特徴とする請求項２１乃至２６の何れか一項に記載のプログラム。
【手続補正２】
【補正対象書類名】明細書
【補正対象項目名】発明の名称
【補正方法】変更
【補正の内容】
【発明の名称】伝送システム、第一の伝送端末、伝送方法、表示方法、及びプログラム
【手続補正３】
【補正対象書類名】明細書
【補正対象項目名】０００５
【補正方法】変更
【補正の内容】
【０００５】
請求項１に係る発明は、第一の撮像手段によって撮像された画像データと音声データの通信が可能な第一の伝送端末と第二の撮像手段によって撮像された画像データと音声データの通信が可能な第二の伝送端末を含む複数の伝送端末と、画像データを通信するためのセッションを管理する管理システムと、を含む伝送システムであって、前記管理システムは、前記第一の伝送端末と前記第二の伝送端末の間で確立される前記セッションを管理するセッション管理手段と、前記第一の伝送端末と前記第二の伝送端末が前記セッションによって画像データを送信している際に、前記第二の伝送端末において前記第二の撮像手段によって撮像された画像データの通信が停止された場合に、前記第二の撮像手段によって撮像された画像データの通信状態を示す情報を前記第一の伝送端末へ送信する送信手段と、を備え、前記第一の伝送端末は、前記送信手段によって送信された前記第二の撮像手段によって撮像された画像データの通信状態を示す情報を受信する受信手段と、前記第一の撮像手段によって撮像された画像データの通信を開始したことを示す状態を表示画面に表示させる第一の表示制御を実行可能であって、前記受信した前記第二の撮像手段によって撮像された画像データの通信状態を示す情報に基づいて、前記第二の伝送端末からの前記第二の撮像手段によって撮像された画像データの通信が停止中であることを示す状態を表示画面に表示させる第二の表示制御を実行可能な表示制御手段と、を有することを特徴とする伝送システムである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
以上説明したように本発明によれば、無駄な画像通信を防止することができるという効果を奏する。